【事件の表示】
　特願２００８−５４３３９１「マスメディアのソーシャル及び相互作用的なアプリケーション」拒絶査定不服審判事件〔平成１９年　６月　７日国際公開、ＷＯ２００７／０６４６４１、平成２１年　５月　７日国内公表、特表２００９−５１８８８４〕について、次のとおり審決する。
【結　論】
　本件審判の請求は、成り立たない。
【理　由】
第１．手続の経緯
　本願は、２００６年（平成１８年）１１月２７日（パリ条約による優先権主張外国庁受理２００５年１１月２９日、米国　２００６年８月２９日、米国）を国際出願日とする出願であって、平成２３年１２月８日付けで拒絶理由の通知がなされ、平成２４年５月１０日付けで意見書・補正書が提出され、平成２４年５月３１日付けで拒絶査定がなされたものである。
　
　本件は、上記拒絶査定を不服として平成２４年１０月５日付けで請求された拒絶査定不服審判であって、その審判請求と同時に手続補正書が提出され、当審において、前置報告書の内容について審判請求人の意見を求めるために、平成２５年１月３１日付けで審尋がなされ、平成２５年５月９日付けで回答書が提出されたものである。
　
第２．補正却下の決定
　平成２４年１０月５日付けの手続補正について次のとおり決定する。
　
［補正却下の決定の結論］
　
　平成２４年１０月５日付けの手続補正を却下する。
　
［補正却下の決定の理由］
　
１．補正の内容
　
　平成２４年１０月５日付けの手続補正（以下、「本件補正」という。）は、請求項１についてする次の補正を含むものである。
　
［補正前］（平成２４年５月１０日付けで補正された請求項１）
「コンピュータ実行方法であって、
　クライアントシステムから、前記クライアントシステムのディスプレイ上にパーソナライズ情報を表すための、メディアコンテンツに関するパーソナライズ情報層のユーザ選択を受信する段階と、
　前記クライアントシステムから、前記メディアコンテンツを特定する記述子を受信する段階と、
　前記記述子及び前記パーソナライズ情報層の前記ユーザ選択をベースとしてパーソナライズ情報を集約する段階と、
　前記パーソナライズ情報層における表示のために、前記クライアントシステムに前記パーソナライズ情報を送信する段階と、
　を具備し、
　前記記述子は前記クライアントシステムによって前記メディアコンテンツから生成され、前記方法は１つ又は複数のプロセッサによって実行され、
　前記パーソナライズ情報を集約する段階は、
　前記受信された記述子を使用して基準記述子のデータベースをクエリする段階と、
　適合基準をベースとして前記受信された記述子に適合する１つ又は複数の基準記述子を決定する段階と、
　を具備し、
　前記基準記述子は、最近のメディア放送から継続的に更新されることを特徴とする方法。」
　
［補正後］（平成２４年１０月５日付けで補正された請求項１）
「コンピュータ実行方法であって、
　クライアントシステムから、前記クライアントシステムのディスプレイ上にパーソナライズ情報を表すための、メディアコンテンツに関するパーソナライズ情報層のユーザ選択を受信する段階と、
　前記クライアントシステムから、前記メディアコンテンツを特定する記述子を受信する段階と、
　前記記述子及び前記パーソナライズ情報層の前記ユーザ選択をベースとしてパーソナライズ情報を集約する段階と、
　前記パーソナライズ情報層における表示のために、前記クライアントシステムに前記パーソナライズ情報を送信する段階と、
　を具備し、
　前記記述子は前記クライアントシステムによって前記メディアコンテンツから生成され、前記方法は１つ又は複数のプロセッサによって実行され、
　前記パーソナライズ情報を集約する段階は、
　前記受信された記述子を使用して基準記述子のデータベースをクエリする段階と、
　適合基準をベースとして前記受信された記述子に適合する１つ又は複数の基準記述子を決定する段階と、
　を具備し、
　前記基準記述子は、メディアコンテンツの統計的な要約であり、最近のマスメディア放送から継続的に更新されることを特徴とする方法。」
　
　この請求項１についてする補正は、「基準記述子」について、「メディアコンテンツの統計的な要約であり」とさらに特定し、「最近のメディア放送から継続的に更新されること」から、「最近のマスメディア放送から継続的に更新されること」とさらに特定するものである。
　
２．補正の適法性
　上記のとおり、請求項１についてする補正は、「基準記述子」について、「メディアコンテンツの統計的な要約であり」とさらに特定し、「最近のメディア放送から継続的に更新されること」から、「最近のマスメディア放送から継続的に更新されること」とさらに特定するものであって、特許請求の範囲の減縮を目的とする補正であると認められる。
　
　したがって、本件補正は、平成１８年法律第５５号改正附則第３条第１項によりなお従前の例によるとされる同法による改正前の特許法第１７条の２第４項第２号の特許請求の範囲の減縮を目的とするものに該当する。
　
　そこで、本件補正後の請求項１に記載された発明（以下、「本願補正発明」という。）が特許出願の際独立して特許を受けることができるものであるか（平成１８年改正前特許法第１７条の２第５項において準用する同法第１２６条第５項の規定に適合するか）について以下に検討する。
　
（１）本願補正発明
　本願補正発明は、以下のとおりである。
「コンピュータ実行方法であって、
　クライアントシステムから、前記クライアントシステムのディスプレイ上にパーソナライズ情報を表すための、メディアコンテンツに関するパーソナライズ情報層のユーザ選択を受信する段階と、
　前記クライアントシステムから、前記メディアコンテンツを特定する記述子を受信する段階と、
　前記記述子及び前記パーソナライズ情報層の前記ユーザ選択をベースとしてパーソナライズ情報を集約する段階と、
　前記パーソナライズ情報層における表示のために、前記クライアントシステムに前記パーソナライズ情報を送信する段階と、
　を具備し、
　前記記述子は前記クライアントシステムによって前記メディアコンテンツから生成され、前記方法は１つ又は複数のプロセッサによって実行され、
　前記パーソナライズ情報を集約する段階は、
　前記受信された記述子を使用して基準記述子のデータベースをクエリする段階と、
　適合基準をベースとして前記受信された記述子に適合する１つ又は複数の基準記述子を決定する段階と、
　を具備し、
　前記基準記述子は、メディアコンテンツの統計的な要約であり、最近のマスメディア放送から継続的に更新されることを特徴とする方法。」
　
（２）刊行物の記載事項
　これに対して、原査定の拒絶の理由で引用された本願の出願の日前に頒布された刊行物である特開２００２−２０９２０４号公報（以下、「引用例１」という。）には、図面とともに、以下の事項が記載されている。
　
「【０２７３】［第４の実施の形態］次に、本発明の第４の実施の形態について実施例４−１及び実施例４−２を用いて説明する。本実施の形態では、視聴者装置から関連情報提供サーバに部分放送情報を送信し、関連情報提供サーバは当該部分放送情報に基づき関連情報を検索し、視聴者装置に送信する。
　【０２７４】（実施例４−１）図３３を参照すると、本発明の第４の実施の形態における関連情報提供機能付放送受信システムは、放送局４００６より映像音声を含む放送情報を受信するとともに、入力部４０１２からの視聴者の関連情報取得指示により、視聴者が視聴中の放送情報又は該放送情報を変換して得られた特徴量情報である部分放送情報を送信し、関連情報を取得、視聴者に提供する関連情報取得部４０１１を有する視聴者装置４００１と、インターネット等のネットワーク４００５に接続され、放送情報と、放送情報の関連情報を蓄積し、視聴者装置４００１からの部分放送情報に対応する関連情報を視聴者装置４００１に送信する関連情報提供サーバ４００２と、視聴者装置４００１で受信された放送情報を蓄積する、ＶＴＲ等の放送情報蓄積装置４００３と、視聴者装置４００１からのアクセスに対して関連情報ホームページを視聴者装置４００１に送信するコンテンツ提供サーバ４００４で構成されている。なお、視聴者装置４００１は便宜上１台しか図示されていないが、実際には多数存在する。
　【０２７５】視聴者装置４００１は、ＢＳデジタル放送、ＣＳデジタル放送、地上波デジタル放送、ケーブルテレビ放送、ＩＰネットワーク（インターネット）を介したネットワーク放送等の放送信号を受信し、音声映像等の放送情報を復号、再生し、視聴者に提示する機能を有する装置であり、テレビ放送であれば、放送受信アンテナ装置、チューナー装置あるいはＳＴＢ（Ｓｅｔ  Ｔｏｐ  Ｂｏｘ）、テレビ等から構成される装置である。図３３では、視聴者装置４００１は、上述の機器が一体化された装置として図示しているが、視聴者装置４００１は、放送受信アンテナ、放送信号から映像音声等の放送情報を復号する処理等を行う装置、映像音声等を表示再生する装置等が分離されており、必要な装置間が有線通信路もしくは無線通信路により接続されている構成でもよい。また、更に、視聴者装置４００１は、ＩＳＤＮやアナログ電話、その他の通信回線を介してインターネット等に接続し通信を行うためモデム等の通信装置を含んで構成される。更には、視聴者装置４００１は、図３３に示したように、ＶＴＲ等の、受信される放送情報を蓄積するための放送情報蓄積装置４００３を具備し、蓄積された放送情報を適時再生視聴するための機能を有する。なお、視聴者装置４００１の内部構成は後で説明する。
　【０２７６】関連情報とは、特定の放送情報に関連する情報であって、テキスト、画像、音声、音楽、映像等から構成されるマルチメディア情報である。放送情報として、例えば、映画が提供された場合には、関連情報とは、ＨＴＭＬで記述されたその映画中の登場人物のプロフィール情報、ＢＧＭのタイトル、作曲者の情報等で、放送情報がＣＭ映像である場合には、そのＣＭの宣伝する商品の詳細情報、ＣＭのＢＧＭの情報等である。あるいは、関連情報とは前記のマルチメディア情報コンテンツヘアクセスするためのアドレス情報、すなわち、当該コンテンツへのＵＲＬ（Ｕｎｉｆｏｒｍ  Ｒｅｓｏｕｒｃｅ  Ｌｏｃａｔｏｒｓ）である場合もある。
　【０２７７】関連情報が、任意の放送情報に関連するマルチメディア情報コンテンツへのＵＲＬである場合、視聴者装置４００１は、関連情報提供サーバ４００２にアクセスし、通知した放送情報識別情報に対応する関連情報であるＵＲＬを取得した後、インターネット４００５を介して当該ＵＲＬにアクセスし、コンテンツ提供サーバ４００４よりホームページ等の情報コンテンツを取得し、これを視聴者に提示する。視聴者装置４００１は、この処理を実施するための手段として、コンテンツ情報閲覧部４０１３を備えている。
　【０２７８】関連情報提供サーバ４００２は放送情報データベース４０２１と関連情報データベース４０２２と放送情報マッチング部４０２３と関連情報提供部４０２４を有している。なお、関連情報提供サーバ４００２は、インターネット４００５に接続されるＷＷＷサーバとして実現される場合がある。
　【０２７９】放送情報データベース４０２１は、各放送情報を、当該放送情報を識別するための情報である放送情報識別情報に対応させて管理している。すなわち、図３３に示したように、蓄積される放送情報である放送番組映像音声群を、例えば、それぞれＶｉｄｅｏ  ０１、Ｖｉｄｅｏ  ０２、Ｖｉｄｅｏ  ０３、‥・という名前のファイルとして管理する。この場合、ファイル名が放送情報識別情報に相当する。更に、各映像音声ファイル中の映像フレーム番号を指定することで各映像音声ファイル中の一映像フレームまで特定することができる。この場合には、ファイル名及び映像フレーム番号が放送情報識別情報に相当する。更に、放送情報データベース４０２１内には、放送情報マッチング部４０２３が放送情報をマッチング検索する際の処理の高速化のために、検索処理に必要なメディア変換、あるいは特徴量抽出処理を施すことにより得られる情報（例えば、音声信号より抽出される特徴ベクトル情報等）が保持される場合がある。関連情報データベース４０２２は、放送情報データべース４０２１に蓄積された放送情報識別情報と当該放送情報に対応する関連情報とを対応させた、図３４に示すようなテーブルを含む。図３４に示した例において、関連情報は、関連する情報を含むホームページのＵＲＬとなっている。
　【０２８０】放送情報マッチング部４０２３は、視聴者装置４００１より受信した部分放送情報と対応する放送情報を放送情報データベース４０２１中より検索することにより該部分放送情報に対応する放送情報の放送情報識別情報を特定する。関連情報提供部４０２４は関連情報データベース４０２２を参照し、特定された放送情報識別情報に対応する関連情報を取得し、視聴者装置４００１に送信する。
　【０２８１】図３５に示すように、視聴者装置４００１は関連情報取得部４０１１と入力部４０１２とコンテンツ情報閲覧部４０１３と放送受信部４０１４と放送情報復調複号部４０１５と表示再生部４０１６とネットワーク通信部４０１７と部分放送情報バッファ４０１９で構成されている。
　【０２８２】放送受信部４０１４はアンテナで、放送局４００６からの放送情報を受信する。放送情報復調復号部４０１５は放送受信部４０１４で受信された放送情報を復調復号し、表示再生部４０１６と、関連情報取得部４０１１と、放送情報を蓄積する場合には更に放送情報蓄積装置４００３に出力し、また放送情報蓄積装置４００３から蓄積された放送情報を入力し、再生する。入力部４０１２は関連情報取得指示ボタン１８及びその他不図示の各種ボタンを有している。関連情報取得部４０１１は、前述したように、視聴者が関連情報取得指示ボタン４０１８を操作すると、視聴者が視聴している放送情報より部分放送情報を生成し、ネットワーク通信部４０１７よりネットワーク４００５を経て関連情報提供サーバ４００２に送信し、関連情報提供サーバ４００２から送信されネットワーク４００５を経てネットワーク通信部４０１７で受信された関連情報を取得し、それに含まれるＵＲＬをコンテンツ情報閲覧部４０１３に出力する。コンテンツ情報閲覧部４０１３はＵＲＬによりネットワーク通信部４０１７、ネットワーク４００５を経てコンテンツ提供サーバ４００４にアクセスし、コンテンツ提供サーバ４００４から送信されてきた関連情報ホームページをネットワーク通信部４０１７を介して受け取り、表示再生部４０１６に出力する。表示再生部４０１６はＣＲＴ、ＬＣＤ等の表示手段と、表示回路からなり、放送情報である映像音声や関連情報ホームページ等を表示する。部分放送情報バッファ４０１９は視聴された映像音声を一時的に記憶する。
　【０２８３】次に、本実施形態の関連情報提供機能付放送受信システムの動作を説明する。
　【０２８４】視聴者が放送情報を視聴中に関連情報取得指示ボタン４０１８を操作すると、関連情報取得部４０１１は視聴中の放送情報、又は該放送情報を変換して得られた特徴量情報を部分放送情報として関連情報提供サーバ４００２に送信する。なお、視聴者が任意の時点に再生視聴中の、放送情報蓄積装置４００３に蓄積された放送情報に対応する関連情報を取得する場合は、前記任意の時点に再生視聴中の、放送情報蓄積装置４００３に蓄積された放送情報、もしくは前記任意の時点に再生視聴中の放送情報蓄積装置４００３に蓄積された放送情報を変換して得られる特徴量情報を部分放送情報として関連情報提供サーバ４００２に送信する。ここで、関連情報は、実際に放送情報に関連した情報を提供するホームページ等へのＵＲＬであるものとしている。関連情報提供サーバ４００２では、部分放送情報が視聴者装置４００１から通知されると、放送情報マッチング部４０２３が放送情報データベース４０２１を検索することにより該部分放送情報に対応する放送情報の放送情報識別情報を特定し、関連情報提供部４０２４が、図３４に示すようなテーブルを参照して該放送情報識別情報に対応付けられた関連情報（すなわちＵＲＬ）群を取得し、これを視聴者装置４００１へ通知する。視聴者装置４００１の関連情報取得部４０１１は取得された関連情報を視聴者に提示する。
　【０２８５】ここで、関連情報取得部４０１１の実現例として、視聴者装置４００１に具備される関連情報取得指示ボタン４０１８等の入力手段が視聴者によって操作され、関連情報取得が指示された時点で関連情報提供サーバ４００２にアクセスし、部分放送情報を関連情報提供サーバ４００２に通知し、関連情報データベース４０２２から該部分放送情報に対応する放送情報識別情報に関連付けられた関連情報を取得し、視聴者に提示する以外に、（１）逐次連続的に関連情報提供サーバ４００２にアクセスし、視聴者が視聴中又は再生視聴中の放送情報に関する全ての関連情報を逐次関連情報管理データベース４０２２より取得し、視聴者に提示する、（２）視聴者装置４００１がいわゆるブックマーク用ボタンと、関連情報取得指示ボタン４０１８、及びメモリ（記憶装置）を具備し、視聴者がブックマーク用ボタンを操作しブックマークした時点の部分放送情報をメモリに蓄積しておき、視聴者が、関連情報取得指示ボタン４０１８を操作し関連情報取得が指示された時点で関連情報提供サーバ４００２にアクセスし、メモリに蓄積された部分放送情報を関連情報提供サーバ４００２に通知し、関連情報データベース４０２２から該部分情報に対応する放送情報識別情報群に関連付けられた関連情報群を取得し、視聴者に提示する等が考えられる。
　【０２８６】また、放送情報マッチング部４０２３が、視聴者装置４００１より受信した部分放送情報と対応する放送情報を放送情報データベース４０２１中より検索することにより該部分放送情報に対応する放送情報の放送情報識別情報を特定する際には、Ｋ・Ｋａｓｈｉｎｏ、Ｇ．Ｓｍｉｔｈ  ａｎｄ  Ｈ．Ｍｕｒａｓｅ：“Ｔｉｍｅ−Ｓｅｒｉｅｓ  ａｃｔｉｖｅ  ｓｅａｒｃｈ  ｆｏｒ  ｑｕｉｃｋ  ｒｅｔｒｉｅｖａｌ  ｏｆ  ａｕｄｉｏ  ａｎｄ  ｖｉｄｅｏ”、Ｐｒｏｃ．ｏｆＩＣＡＳＳＰ−９９、Ｖｏｌ．６、PP．２９９３−２９９６、Ｍａｒ．１９９９、もしくは、柏野邦夫、村瀬洋、“音や映像を瞬時に探す時系列アクティブ探索法”、ＮＴＴＲ＆Ｄ、Ｖｏｌ．４９、Ｎｏ．７、２０００、ＰＰ．４０７−４１３に記載の手法を使用するものとしている。前記の手法は、放送等の長時間の音声もしくは放送中から、特定の番組タイトルやＣＭ等、目的とする音や映像の有無及び対応位置を高速に検出する手法で、音声を検索する場合、検索対象となる音声全体、及び検索する音声の特徴ベクトルのヒストグラムに基づいて検索を行うものである。これらの手法を用いる場合には、部分放送情報は、関連情報の取得の対象となる時点を含む一定時間に視聴された映像音声中の音声データあるいは、該音声信号から抽出される特徴ベクトルに相当する。視聴者装置４００１に具備される関連情報取得部４０１１が特徴ベクトルを部分放送情報として関連情報提供サーバ４００２に送信する場合には、関連情報取得部４０１１は、音声信号から特徴ベクトルを抽出する機能をも有する。
　【０２８７】部分放送情報としては、上述した音声信号もしくは音声信号から抽出される特徴ベクトル以外に、映像フレームデータ、映像シーケンスデータ（一連の連続するフレームデータ）、色ヒストグラム等の映像信号より抽出される各種特徴量が考えられる。
　【０２８８】次に、本実施形態において、視聴者が視聴中に放送に関連する情報を取得する際のシステムの具体的動作について説明する。
　【０２８９】まず、視聴者装置４００１を用いて視聴者が、放送中の放送映像音声、もしくは、放送情報蓄積装置４００３に蓄積された放送映像音声を再生視聴中に、関連情報取得部４０１１は常に、部分放送情報バッファ４０１９にａ時間前までの視聴された映像音声をバッファリングしている。ここで、視聴者が視聴中の映像音声の内容に興味をもち関連情報取得指示ボタン４０１８を操作したとする。この結果、関連情報取得部４０１１は、関連情報取得指示ボタン４０１８が操作された時点ｔよりａ時間前から時刻ｔまでの期間、すなわち、時刻ｔ−ａから時刻ｔまでの時間に視聴された放送映像音声の音声信号を部分放送情報として、ネットワーク通信部４０１７を介して関連情報管理サーバ４００２に送信する。
　【０２９０】関連情報提供サーバ４００２の関連情報提供部４０２４は、受信された部分放送情報を放送情報マッチング部４０２３に送信する。放送情報マッチング部４０２３は、受信された部分放送情報、すなわち音声信号を利用して、放送情報データベース４０２１から該部分放送情報に対応する放送情報を検索する。検索の結果、例えば、映像ファイルＶｉｄｅｏ  ０１のフレーム１番からフレーム３番までの映像シーケンスが受信された部分放送情報に適合したとする。ここで、受信された部分放送情報は、視聴者が関連情報取得指示ボタン４０１８を操作した時点ｔよりａ時間前から時刻ｔまでの期間、すなわち、時刻ｔ−ａから時刻ｔまでの時間に視聴された放送映像音声の音声信号に相当するので、適合した映像シーケンス中の最後の時刻に相当する映像フレームが、視聴者が関連情報取得指示ボタン４０１８を操作した時点ｔに視聴中の映像フレームに相当する。放送情報マッチング部４０２３は、前述のような判断を行い、結果として、放送情報識別情報として“ファイル名：Ｖｉｄｅｏ  ０１、フレーム番号：００２”という情報を関連情報提供部４０２４に通知する。関連情報提供部４０２４は、図３４に示す関連情報データベース４０２２を参照し、受信された放送情報識別情報“フィル名：Ｖｉｄｅｏ  ０１、フレーム番号：００２”に対応する関連情報として、ｈｔｔｐ：／／ｗｗｗ．ａａａ．ｃｏ．ｊｐ．／ｐｒｏｇｒａｍ  ｉｎｆｏｒｍａｔｉｏｎ．ｈｔｍｌというＵＲＬを関連情報として視聴者装置４００１へ返信する。
　【０２９１】視聴者装置４００１では、受信されたＵＲＬをコンテンツ情報閲覧部４０１３に送り、コンテンツ情報閲覧部４０１３は、該ＵＲＬアドレスで指定されるコンテンツ提供サーバ４００４にアクセスし、関連情報ホームページを取得し、これを表示再生部４０１６により視聴者へ提供する。
　【０２９２】（実施例４−２）以上までに述べた例においては、基本的に、視聴者が任意の放送情報を指定した場合に提供される関連情報は、視聴者の属性によらず、同一の放送情報に対応しては、全視聴者に同一の関連情報が提供されるものであった。
　【０２９３】本実施の形態においても、上述した各実施の形態と同様に、視聴者情報や、視聴者装置の端末情報に基づいて、視聴者及び視聴者装置毎に異なる関連情報を提供することが可能である。本実施の形態では、視聴者及び視聴者装置毎に異なる関連情報を提供する構成について、実施例４−２として詳細に説明する。
　【０２９４】第１の実施の形態と同様、視聴者情報とは、視聴者に関する情報であり、名前、性別、年齢、職業、住所、郵便番号、家族構成、住居に関する情報（マンション、一戸建て、等）、趣味、興味を有する情報ジャンル（政治、経済、ニュース、コンピュータ、書籍、スポーツ、旅行、等）、年収、各種サービスの会員であるか否かという情報及び会員番号あるいはクレジットカードＩＤ、各種資格（運転免許、等）保有の有無、体形に関する情報（体重、身長、衣類のサイズ等）、能力に関する情報（視力、聴力、等）、等のいずれか複数を含むものである。
　【０２９５】端末情報とは、視聴者装置の表示装置の解像度、表示可能色数、ＷＷＷ情報閲覧手段の性能（Ｊａｖａ機能利用可否、映像音声コンテンツ再生機能の有無、映像音声コンテンツで再生できる符号化フォーマット情報、等）等の情報である。
　【０２９６】以下に、視聴者情報や、視聴者装置の端末情報に基づいて、視聴者及び視聴者装置毎に異なる関連情報を提供する場合について、実施例４−１と異なる点について、図３６、図３７を参照して説明する。
　【０２９７】本実施例においては、図３７に示すように、視聴者情報及び端末情報を記憶保持するための記憶部４０３０が、視聴者装置に具備されている。また、入力部４０１２は、視聴者情報を入力するための機能を視聴者に提供する。視聴者は、事前に、入力部４０１２を介して、各種視聴者情報を入力し、入力された視聴者情報が、記憶部４０３０に保持される。
　【０２９８】また、端末情報は、端末製造時に記憶部４０３０に保持されるか、表示再生部４０１６が接続された時点で、表示再生部４０１６より記憶部４０３０に通知され保持される。
　【０２９９】また、本実施例において、関連情報データベース４０２２に保持される関連情報は、ＵＲＬ等の関連情報本体とその属性情報から構成される。属性情報とは、当該関連情報の提供対象となり得る視聴者の特性、すなわち、性別、年齢、体形特性、能力特性、職業、地区、郵便番号群、家族構成特性、住居特性、年収、及び、当該関連情報の属する情報ジャンル、当該関連情報を利用するのに必要なサービス利用権利及び資格に関する情報と、提供対象となる端末の特性、すなわち、表示装置の解像度特性、表示可能色数、コンテンツ情報閲覧部４０１３の性能、等である。
　【０３００】関連情報本体がＵＲＬであった場合の関連情報は、例えば、
関連情報例１：「ＵＲＬ１，（女性用），（対象年齢２０以上），（１０２４ｘ８００以上），（２５６色以上）」
関連情報例２：「ＵＲＬ２，（衣類サイズＭ），（Ｊａｖａ機能必要）」
関連情報例３：「ＵＲＬ３，（職業：主婦），（東京都）」
関連情報例４：「ＵＲＬ４，（女性用），（視力０．８以下）」
関連情報例５：「ＵＲＬ５，（ジャンル：スポーツ）」
というようなものになる。
　【０３０１】この例において実際の関連情報は、関連情報例１では女性向けのタバコの広告情報であり、２０歳未満、もしくは、男性には不向きなコンテンツである場合等に当たる。関連情報例２は衣類の広告情報、また、関連情報例３は東京都内のスーパーマーケットの商品情報、関連情報例４は、女性用眼鏡の広告情報、等である場合が考えられる。また、関連情報５はスポーツ用品の広告等である場合が考えられる。
　【０３０２】視聴者装置の４００１関連情報取得部４０１１は、図３６に示すように、関連情報提供サーバ４００２にこれまでに述べた実施例において、部分放送情報を送信する際に、視聴者情報及び端末情報、もしくは、前記いずれかの情報を、部分放送情報とともに送信する。
　【０３０３】関連情報提供サーバ４００２の関連情報提供部４０２４は、前述の実施例において述べた手順に従って部分放送情報から放送情報識別情報を特定し、更に対応する関連情報を特定する。その後、対応する関連情報に付与された、視聴者情報及び端末情報を参照し、これらに基づいて関連情報を選別し、視聴者装置に送信する。
　【０３０４】具体的には、視聴者装置４００１より、関連情報提供サーバ４００２に受信された部分放送情報から特定された放送情報識別情報に対応付けられた関連情報が上記の関連情報例１〜４に示したものであり、視聴者情報が（女性）であり、端末情報が、（解像度８００ｘ６００）、（Ｊａｖａ利用不可）であった場合には、関連情報提供部４０２４は、解像度が１０２４ｘ８００以上必要ということが条件である関連情報例１と、Ｊａｖａ機能必要が条件である関連情報例２を除外し、残りのＵＲＬ３、ＵＲＬ４、ＵＲＬ５を視聴者装置４００１に送信する。
　【０３０５】また、前記視聴者情報が、（女性）、（京都府）、（視力１．５）（興味ジャンル：書籍）であり、前記端末情報は、（解像度１０２４ｘ８００）、（Ｊａｖａ利用可）であった場合には、関連情報提供部４０２４は、対象地区が東京都である関連情報例３と、対象視聴者の視力が０．８以下である関連情報例４と、ジャンルが指定してあってかつそのジャンルが書籍以外である関連情報例５を除外し、残りのＵＲＬ１、ＵＲＬ２を視聴者装置４００１に送信する。
　【０３０６】上述の例以外に、属性情報として、（Ａサービス会員のみ利用可）という情報が関連情報に付与されており、視聴者情報としてＡサービス会員番号が含まれる場合に、該関連情報を視聴者装置４００１に送信する場合がある。また、属性情報として、（自動車免許必要）という情報が関連情報に付与されており、視聴者情報として（自動車免許有）が含まれる場合に、該関連情報を視聴者装置４００１に送信する場合等がある。
　【０３０７】また、属性情報として、（ｍｐｅｇ２形式）という情報が関連情報に付与されており、端末情報として（再生可能符号化方式：ｍｐｅｇ２）が含まれる場合に、該関連情報を視聴者装置に送信する場合等がある。
　【０３０８】このように上記の実施例４−２においては、視聴者情報、端末情報を利用することにより、視聴者にとって必要性のない関連情報、及び、視聴者の利用する視聴者装置において利用できない関連情報は送信されず、視聴者にとって必要と考えられる情報、あるいは、利用可能な情報のみを視聴者に提供する。
　【０３０９】（効果）以上説明したように、本実施の形態によれば、放送映像音声に対して関連情報を提供するために必要な情報を付加する等の特別な処理を行う必要がなく、かつ、放送映像音声を一時蓄積して再生視聴する際にも、ネットワークを介して放送映像音声に関する関連情報の提供サービスが可能となる。」
「【０３５３】なお、上記各実施の形態における本発明の視聴者装置及び関連情報提供サーバ等は各々、ＣＰＵ、メモリ、ハードディスク、ＣＤ―ＲＯＭ等を有するコンピュータを用いて構成することができ、視聴者装置及び関連情報提供サーバ等の各々における機能は、各装置又はサーバに搭載されるプログラムによって実現することができる。当該プログラムは、ＣＤ−ＲＯＭ等の記録媒体からコンピュータにインストールすることもできるし、ネットワークを介してコンピュータにダウンロードする形態をとることもできる。」
　
　ここで、上記記載について検討する。
　なお、「以下に、視聴者情報や、視聴者装置の端末情報に基づいて、視聴者及び視聴者装置毎に異なる関連情報を提供する場合について、実施例４−１と異なる点について、図３６、図３７を参照して説明する。」（段落【０２９６】）との記載から、実施例４−２は、実施例４−１と同じ部分については、実施例４−１の記載を利用することができるものである。
　
　第１に、「上記各実施の形態における本発明の視聴者装置及び関連情報提供サーバ等は各々、ＣＰＵ、メモリ、ハードディスク、ＣＤ―ＲＯＭ等を有するコンピュータを用いて構成することができ、」（段落【０３５３】）との記載からみて、引用例１においても、「コンピュータを用いて」構成しているものである。
　
　第２に、「視聴者装置４００１は、この処理を実施するための手段として、コンテンツ情報閲覧部４０１３を備えている。」（段落【０２７７】）、「関連情報取得部４０１１は、前述したように、視聴者が関連情報取得指示ボタン４０１８を操作すると、視聴者が視聴している放送情報より部分放送情報を生成し、ネットワーク通信部４０１７よりネットワーク４００５を経て関連情報提供サーバ４００２に送信し、関連情報提供サーバ４００２から送信されネットワーク４００５を経てネットワーク通信部４０１７で受信された関連情報を取得し、それに含まれるＵＲＬをコンテンツ情報閲覧部４０１３に出力する。コンテンツ情報閲覧部４０１３はＵＲＬによりネットワーク通信部４０１７、ネットワーク４００５を経てコンテンツ提供サーバ４００４にアクセスし、コンテンツ提供サーバ４００４から送信されてきた関連情報ホームページをネットワーク通信部４０１７を介して受け取り、表示再生部４０１６に出力する。  」（段落【０２８２】）、「視聴者情報とは、視聴者に関する情報であり、名前、性別、年齢、職業、住所、郵便番号、家族構成、住居に関する情報（マンション、一戸建て、等）、趣味、興味を有する情報ジャンル（政治、経済、ニュース、コンピュータ、書籍、スポーツ、旅行、等）、年収、各種サービスの会員であるか否かという情報及び会員番号あるいはクレジットカードＩＤ、各種資格（運転免許、等）保有の有無、体形に関する情報（体重、身長、衣類のサイズ等）、能力に関する情報（視力、聴力、等）、等のいずれか複数を含むものである。」（段落【０２９４】）、「入力部４０１２は、視聴者情報を入力するための機能を視聴者に提供する。視聴者は、事前に、入力部４０１２を介して、各種視聴者情報を入力し、入力された視聴者情報が、記憶部４０３０に保持される。」（段落【０２９７】）、「関連情報データベース４０２２に保持される関連情報は、ＵＲＬ等の関連情報本体とその属性情報から構成される。属性情報とは、当該関連情報の提供対象となり得る視聴者の特性、すなわち、性別、年齢、体形特性、能力特性、職業、地区、郵便番号群、家族構成特性、住居特性、年収、及び、当該関連情報の属する情報ジャンル、当該関連情報を利用するのに必要なサービス利用権利及び資格に関する情報と、提供対象となる端末の特性、すなわち、表示装置の解像度特性、表示可能色数、コンテンツ情報閲覧部４０１３の性能、等である。」（段落【０２９９】）、「視聴者装置の４００１関連情報取得部４０１１は、図３６に示すように、関連情報提供サーバ４００２にこれまでに述べた実施例において、部分放送情報を送信する際に、視聴者情報及び端末情報、もしくは、前記いずれかの情報を、部分放送情報とともに送信する。」（段落【０３０２】）、「関連情報提供サーバ４００２の関連情報提供部４０２４は、前述の実施例において述べた手順に従って部分放送情報から放送情報識別情報を特定し、更に対応する関連情報を特定する。その後、対応する関連情報に付与された、視聴者情報及び端末情報を参照し、これらに基づいて関連情報を選別し、視聴者装置に送信する。」（段落【０３０３】）、「このように上記の実施例４−２においては、視聴者情���、端末情報を利用することにより、視聴者にとって必要性のない関連情報、及び、視聴者の利用する視聴者装置において利用できない関連情報は送信されず、視聴者にとって必要と考えられる情報、あるいは、利用可能な情報のみを視聴者に提供する。」（段落【０３０８】）との記載からみて、引用例１の視聴者装置は、視聴者装置の表示再生部に関連情報ホームページを出力するために、趣味、興味を有する情報ジャンル等を含む視聴者情報を入力し、関連情報提供サーバに送信するものであり、関連情報提供サーバでは、趣味、興味を有する情報ジャンル等を含む視聴者情報を受信することになるから、「視聴者装置から、視聴者装置の表示再生部に関連情報ホームページを出力するための、入力部より入力された趣味、興味を有する情報ジャンル等を含む視聴者情報を関連情報提供サーバにて受信する」構成を有するものである。
　
　第３に、「関連情報取得部４０１１は視聴中の放送情報、又は該放送情報を変換して得られた特徴量情報を部分放送情報として関連情報提供サーバ４００２に送信する。ここで、関連情報は、実際に放送情報に関連した情報を提供するホームページ等へのＵＲＬであるものとしている。関連情報提供サーバ４００２では、部分放送情報が視聴者装置４００１から通知されると、放送情報マッチング部４０２３が放送情報データベース４０２１を検索することにより該部分放送情報に対応する放送情報の放送情報識別情報を特定し、関連情報提供部４０２４が、図３４に示すようなテーブルを参照して該放送情報識別情報に対応付けられた関連情報（すなわちＵＲＬ）群を取得し、これを視聴者装置４００１へ通知する。」（段落【０２８４】）との記載からみて、引用例１の視聴者装置の関連情報取得部は、放送情報を変換して得られた特徴量情報を部分放送情報として関連情報提供サーバに送信するものであり、関連情報提供サーバでは、部分放送情報を受信することになるから、「視聴者装置から、放送情報を変換して得られた特徴量情報である部分放送情報を関連情報提供サーバにて受信する」構成を有するものである。
　
　第４に、「視聴者情報や、視聴者装置の端末情報に基づいて、視聴者及び視聴者装置毎に異なる関連情報を提供することが可能である。本実施の形態では、視聴者及び視聴者装置毎に異なる関連情報を提供する構成について、実施例４−２として詳細に説明する。」（段落【０２９３】）、「視聴者情報とは、視聴者に関する情報であり、名前、性別、年齢、職業、住所、郵便番号、家族構成、住居に関する情報（マンション、一戸建て、等）、趣味、興味を有する情報ジャンル（政治、経済、ニュース、コンピュータ、書籍、スポーツ、旅行、等）、年収、各種サービスの会員であるか否かという情報及び会員番号あるいはクレジットカードＩＤ、各種資格（運転免許、等）保有の有無、体形に関する情報（体重、身長、衣類のサイズ等）、能力に関する情報（視力、聴力、等）、等のいずれか複数を含むものである。」（段落【０２９４】）、「入力部４０１２は、視聴者情報を入力するための機能を視聴者に提供する。視聴者は、事前に、入力部４０１２を介して、各種視聴者情報を入力し、入力された視聴者情報が、記憶部４０３０に保持される。」（段落【０２９７】）、「また、本実施例において、関連情報データベース４０２２に保持される関連情報は、ＵＲＬ等の関連情報本体とその属性情報から構成される。」（段落【０２９９】）、「関連情報提供サーバ４００２の関連情報提供部４０２４は、前述の実施例において述べた手順に従って部分放送情報から放送情報識別情報を特定し、更に対応する関連情報を特定する。その後、対応する関連情報に付与された、視聴者情報及び端末情報を参照し、これらに基づいて関連情報を選別し、視聴者装置に送信する。」（段落【０３０３】）、「このように上記の実施例４−２においては、視聴者情報、端末情報を利用することにより、視聴者にとって必要性のない関連情報、及び、視聴者の利用する視聴者装置において利用できない関連情報は送信されず、視聴者にとって必要と考えられる情報、あるいは、利用可能な情報のみを視聴者に提供する。」（段落【０３０８】）との記載からみて、引用例１は、部分放送情報から放送情報識別情報を特定し、更に対応する関連情報を特定し、その後、対応する関連情報に付与された、視聴者情報及び端末情報を参照し、これらに基づいて関連情報を選別するものであるから、「部分放送情報及び入力部より入力された趣味、興味を有する情報ジャンル等を含む視聴者情報に基づいて関連情報（ＵＲＬ）を選別する」構成を有しているものである。
　
　第５に、「関連情報取得部４０１１は、前述したように、視聴者が関連情報取得指示ボタン４０１８を操作すると、視聴者が視聴している放送情報より部分放送情報を生成し、ネットワーク通信部４０１７よりネットワーク４００５を経て関連情報提供サーバ４００２に送信し、関連情報提供サーバ４００２から送信されネットワーク４００５を経てネットワーク通信部４０１７で受信された関連情報を取得し、それに含まれるＵＲＬをコンテンツ情報閲覧部４０１３に出力する。コンテンツ情報閲覧部４０１３はＵＲＬによりネットワーク通信部４０１７、ネットワーク４００５を経てコンテンツ提供サーバ４００４にアクセスし、コンテンツ提供サーバ４００４から送信されてきた関連情報ホームページをネットワーク通信部４０１７を介して受け取り、表示再生部４０１６に出力する。」（段落【０２８２】）、「関連情報提供サーバ４００２の関連情報提供部４０２４は、前述の実施例において述べた手順に従って部分放送情報から放送情報識別情報を特定し、更に対応する関連情報を特定する。その後、対応する関連情報に付与された、視聴者情報及び端末情報を参照し、これらに基づいて関連情報を選別し、視聴者装置に送信する。」（段落【０３０３】）との記載からみて、引用例１の関連情報提供サーバは、「視聴者装置の表示再生部に関連情報ホームページを出力するために、視聴者装置に関連情報（ＵＲＬ）を送信する」構成を有しているものである。
　
　第６に、「視聴者が視聴中の放送情報又は該放送情報を変換して得られた特徴量情報である部分放送情報を送信し、関連情報を取得、視聴者に提供する関連情報取得部４０１１を有する視聴者装置４００１」（段落【０２７４】）との記載からみて、引用例１の部分放送情報は「視聴者装置によって放送情報を変換して得られる」ものである。
　
　第７に、「放送情報データベース４０２１内には、放送情報マッチング部４０２３が放送情報をマッチング検索する際の処理の高速化のために、検索処理に必要なメディア変換、あるいは特徴量抽出処理を施すことにより得られる情報（例えば、音声信号より抽出される特徴ベクトル情報等）が保持される場合がある。」（段落【０２７９】）、「放送情報マッチング部４０２３は、視聴者装置４００１より受信した部分放送情報と対応する放送情報を放送情報データベース４０２１中より検索することにより該部分放送情報に対応する放送情報の放送情報識別情報を特定する。関連情報提供部４０２４は関連情報データベース４０２２を参照し、特定された放送情報識別情報に対応する関連情報を取得し、視聴者装置４００１に送信する。」（段落【０２８０】）、「また、放送情報マッチング部４０２３が、視聴者装置４００１より受信した部分放送情報と対応する放送情報を放送情報データベース４０２１中より検索することにより該部分放送情報に対応する放送情報の放送情報識別情報を特定する際には、Ｋ・Ｋａｓｈｉｎｏ、Ｇ．Ｓｍｉｔｈ  ａｎｄ  Ｈ．Ｍｕｒａｓｅ：“Ｔｉｍｅ−Ｓｅｒｉｅｓ  ａｃｔｉｖｅ  ｓｅａｒｃｈ  ｆｏｒ  ｑｕｉｃｋ  ｒｅｔｒｉｅｖａｌ  ｏｆ  ａｕｄｉｏ  ａｎｄ  ｖｉｄｅｏ”、Ｐｒｏｃ．ｏｆＩＣＡＳＳＰ−９９、Ｖｏｌ．６、PP．２９９３−２９９６、Ｍａｒ．１９９９、もしくは、柏野邦夫、村瀬洋、“音や映像を瞬時に探す時系列アクティブ探索法”、ＮＴＴＲ＆Ｄ、Ｖｏｌ．４９、Ｎｏ．７、２０００、ＰＰ．４０７−４１３に記載の手法を使用するものとしている。前記の手法は、放送等の長時間の音声もしくは放送中から、特定の番組タイトルやＣＭ等、目的とする音や映像の有無及び対応位置を高速に検出する手法で、音声を検索する場合、検索対象となる音声全体、及び検索する音声の特徴ベクトルのヒストグラムに基づいて検索を行うものである。これらの手法を用いる場合には、部分放送情報は、関連情報の取得の対象となる時点を含む一定時間に視聴された映像音声中の音声データあるいは、該音声信号から抽出される特徴ベクトルに相当する。視聴者装置４００１に具備される関連情報取得部４０１１が特徴ベクトルを部分放送情報として関連情報提供サーバ４００２に送信する場合には、関連情報取得部４０１１は、音声信号から特徴ベクトルを抽出する機能をも有する。」（段落【０２８６】）との記載からみて、引用例１は、「関連情報（ＵＲＬ）を取得する際に、視聴者装置より受信した部分放送情報と対応する放送情報の特徴量抽出処理を施すことにより得られる情報を放送情報データベース中より検索する」構成を有しているものである。
　
　第８に、「放送情報データベース４０２１内には、放送情報マッチング部４０２３が放送情報をマッチング検索する際の処理の高速化のために、検索処理に必要なメディア変換、あるいは特徴量抽出処理を施すことにより得られる情報（例えば、音声信号より抽出される特徴ベクトル情報等）が保持される場合がある。」（段落【０２７９】）との記載からみて、引用例１の放送情報をマッチング検索する際には、「特徴量抽出処理を施すことにより得られる情報」を利用するものである。
　
　第９に、引用例１には、上記の一連の流れが記載されていることから、そのような流れの方法発明についても記載されているものであるし、方法発明であれば、流れを段階により記載することも通常である。
　
　したがって、引用例１には以下の発明（以下、「引用発明」という。）が記載されている。
　
「コンピュータを用いて、
　視聴者装置から、視聴者装置の表示再生部に関連情報ホームページを出力するための、入力部より入力された趣味、興味を有する情報ジャンル等を含む視聴者情報を関連情報提供サーバにて受信する段階と、
　視聴者装置から、放送情報を変換して得られた特徴量情報である部分放送情報を関連情報提供サーバにて受信する段階と、
　部分放送情報及び入力部より入力された趣味、興味を有する情報ジャンル等を含む視聴者情報に基づいて関連情報（ＵＲＬ）を選別する段階と、
　視聴者装置の表示再生部に関連情報ホームページを出力するために、視聴者装置に関連情報（ＵＲＬ）を送信する段階と、
　部分放送情報は視聴者装置によって放送情報を変換して得られ、
　関連情報（ＵＲＬ）を取得する際に、
　視聴者装置より受信した部分放送情報と対応する放送情報の特徴量抽出処理を施すことにより得られる情報を放送情報データベース中より検索し、
　放送情報をマッチング検索する際には、特徴量抽出処理を施すことにより得られる情報を利用することを特徴とする方法。」
　
（３）引用発明との対比
　本願補正発明と引用発明とを対比する。
　
（３．１）本願補正発明の「コンピュータ実行方法」について
　
　引用発明についても、「コンピュータを用いて」いる方法の発明が記載されているものであり、コンピュータを用いる方法であるから、本願補正発明の「コンピュータ実行方法」に一致する。
　
（３．２）本願補正発明の「クライアントシステムから、前記クライアントシステムのディスプレイ上にパーソナライズ情報を表すための、メディアコンテンツに関するパーソナライズ情報層のユーザ選択を受信する段階」について
　
（ア）引用発明の「視聴者装置」は、視聴者が有する装置、すなわち、放送を視聴する側の装置であり、本願補正発明の「クライアントシステム」は、クライアント側のシステムであり、放送を視聴する側のシステムであること考えると、引用発明の「視聴者装置」は、本願補正発明の「クライアントシステム」に一致する。
　
（イ）引用発明の「視聴者装置の表示再生部」は、表示再生する部位のことであるから、本願補正発明の「クライアントシステムのディスプレイ上」に一致する。
　
（ウ）本願明細書における、
「パーソナライズ情報層は、前記マスメディアチャネルの補完的な情報を提供する。パーソナライズ情報層の実施例は、ファッション、政治、ビジネス、健康、旅行、等を具備するが、それに限定されない。例えば、有名人に関するニュースセグメントを視聴する一方で、テレビジョンスクリーン又はコンピュータ表示装置上で、ファッション層が前記視聴者に表示されており、前記ニュースセグメント内で有名人が着用している衣類及びアクセサリに関連する情報及び／又は画像を提供する。それに加えて、パーソナライズ層は、有名人が着用している衣類を販売する衣類ストアへのリンクのような、ニュースセグメントに関連する製品又はサービスを促進する広告を具備しても良い。」（本願明細書段落【００２３】）
「ユーザインターフェース
　図５は、マスパーソナライズアプリケーションと相互作用するためのユーザインターフェース２０８の一実施形態のフローチャートである。前記ユーザインターフェース２０８は、パーソナライズ層表示エリア５０２、スポンサーリンク表示エリア５０６、コメントメディア表示エリア５０４、及びコンテンツ表示エリア５０８を具備する。パーソナライズ層表示エリア５０２は、コンテンツ表示エリア５０８内に示されたビデオコンテンツに関連する補完的な情報及び／又は画像を提供する。パーソナライズ層は、ナビゲートバー５１０及び入力装置（例えば、マウス又は遠隔制御）を使用してナビゲートされても良い。各層は、ナビゲートバー５１０内に関連付けられたラベルを具備しても良い。例えば、もし前記ユーザが「ファッション」ラベルを選択したら、次いで「Ｓｅｉｎｆｅｌｄ」に関連付けられたコンテンツに関連するファッションを具備するファッション層が、表示エリア５０２内に表示される。」（本願明細書段落【００７４】）
との記載から、本願補正発明における、「パーソナライズ情報を表すための、メディアコンテンツに関するパーソナライズ情報層のユーザ選択を受信する」とは、例えば、ファッションに関する情報を表示させるために、パーソナライズ情報層にてユーザにファッションラベルを選択させ、ユーザが選択したものを受信することである。すなわち、「ユーザ選択を受信する」とは、ユーザが選択したものを受信することである。そして、ファッションに関する情報を表示させるために、ファッションラベルを選択させるということは、コンテンツに関するファッション、政治、ビジネス、健康、旅行、等の様々なジャンルから興味のあるジャンルを選択させるということである。
　引用発明は、入力された趣味、興味を有する情報ジャンル等を含む視聴者情報により関連情報（ＵＲＬ）を選別するものであること、「入力部より入力された趣味、興味を有する情報ジャンル等を含む視聴者情報」は、現在視聴している放送情報において、視聴者の趣味や興味を入力することにより、視聴している放送情報における視聴者の趣味や興味に関連する関連情報ホームページを表示させるために行うものであることを考えると、引用発明の「関連情報ホームページ」は、本願補正発明の「パーソナライズ情報」に一致する。
　そして、本願補正発明の「ユーザ選択」という行為について考えると、ユーザが選択するということは、ユーザが入力する際に、選択により入力することである。
　そうすると、引用発明の「入力部より入力された趣味、興味を有する情報ジャンル等を含む視聴者情報を関連情報提供サーバにて受信する」と、本願補正発明における、「メディアコンテンツに関するパーソナライズ情報層のユーザ選択を受信する」について検討するに、受信するものについて考えると、ともに、メディアコンテンツに関する興味のあるジャンルを受信するものであり、受信するもの自体は一致し、ユーザ入力したものを受信することも一致する。しかし、受信するものを入力する際に、本願補正発明では、パーソナライズ情報層のユーザ選択であるのに対し、引用発明では、入力部より入力する点で相違する。
　すなわち、引用発明の「入力部より入力された趣味、興味を有する情報ジャンル等を含む視聴者情報を関連情報提供サーバにて受信する」と、本願補正発明における、「メディアコンテンツに関するパーソナライズ情報層のユーザ選択を受信する」は、メディアコンテンツに関するユーザ入力したものを受信するという点で一致するが、ユーザ入力という行為に関して、本願補正発明では、パーソナライズ情報層のユーザ選択であるのに対し、引用発明では、入力部より入力する点で相違する。
　
（エ）そうすると、本願補正発明の「クライアントシステムから、前記クライアントシステムのディスプレイ上にパーソナライズ情報を表すための、メディアコンテンツに関するパーソナライズ情報層のユーザ選択を受信する段階」について、本願補正発明と引用発明は、
「クライアントシステムから、前記クライアントシステムのディスプレイ上にパーソナライズ情報を表すための、メディアコンテンツに関するユーザ入力を受信する段階」 という点で一致し、
　ユーザ入力に関して、本願補正発明は、パーソナライズ情報層のユーザ選択であるのに対し、引用発明では、入力部より入力する点で相違する。
　
（３．３）本願補正発明の「前記クライアントシステムから、前記メディアコンテンツを特定する記述子を受信する段階」について
　
　引用発明についても、「視聴者装置から、放送情報を変換して得られた特徴量情報である部分放送情報を関連情報提供サーバにて受信する」ものであり、引用発明の「部分放送情報」は、放送情報を変換して得られた特徴量情報であるから、放送情報すなわちメディアコンテンツを特定するものであり、本願補正発明の「記述子」に一致する。
　そうすると、引用発明の「視聴者装置から、放送情報を変換して得られた特徴量情報である部分放送情報を関連情報提供サーバにて受信する段階」と、本願補正発明の「前記クライアントシステムから、前記メディアコンテンツを特定する記述子を受信する段階」は、一致する。
　
（３．４）本願補正発明の「前記記述子及び前記パーソナライズ情報層の前記ユーザ選択をベースとしてパーソナライズ情報を集約する段階」について
　
（ア）引用発明についても、「部分放送情報及び入力部より入力された趣味、興味を有する情報ジャンル等を含む視聴者情報に基づいて関連情報（ＵＲＬ）を選別する」ものであり、引用発明の「部分放送情報」が、本願補正発明の「記述子」に一致する。
　
（イ）本願補正発明の「前記パーソナライズ情報層の前記ユーザ選択」は、記述子とユーザ選択をベースにしてパーソナライズ情報を集約するということを考えると、パーソナライズ情報層でユーザが選択したもののことを指し、ものとしては、（３．２）でも検討したように、ファッションのような興味のあるジャンルのことである。引用発明の「入力部より入力された趣味、興味を有する情報ジャンル等を含む視聴者情報」についても、興味を有する情報ジャンルのことであるから、引用発明の「入力部より入力された趣味、興味を有する情報ジャンル等を含む視聴者情報」と本願補正発明の「前記パーソナライズ情報層の前記ユーザ選択」は、ユーザ入力により発生したものとしては、一致するものである。そうすると、本願補正発明の「前記パーソナライズ情報層の前記ユーザ選択」と引用発明の「入力部より入力された趣味、興味を有する情報ジャンル等を含む視聴者情報」は、ユーザ入力したものという点で共通し、ユーザ入力という行為に関して、本願補正発明は、「パーソナライズ情報層のユーザ選択」であるのに対し、引用発明では、入力部より入力するという点で相違する。
　
（ウ）引用発明の「選別する」とは、引用例１の段落【０３００】〜【０３０５】のように幾つかの関連情報から関係する情報を集めてくることなので、本願補正発明の「集約する」に一致する。
　
（エ）しかし、本願補正発明も引用発明も、クライアントシステムのディスプレイ上にパーソナライズ情報を表すために必要な情報を集約するものであるが、クライアントシステムのディスプレイ上にパーソナライズ情報を表すために必要な情報が、引用発明は、パーソナライズ情報を表示するための関連情報（ＵＲＬ）であるのに対し、本願補正発明は、パーソナライズ情報そのものである点で相違する。
　
（オ）そうすると、本願補正発明の「前記記述子及び前記パーソナライズ情報層の前記ユーザ選択をベースとしてパーソナライズ情報を集約する段階」について、本願補正発明と引用発明は、
「前記記述子及び前記ユーザ入力をベースとしてクライアントシステムのディスプレイ上にパーソナライズ情報を表すために必要な情報を集約する段階」という点で一致し、
　ユーザ入力に関して、本願補正発明は、パーソナライズ情報層のユーザ選択であるのに対し、引用発明では、入力部より入力する点、
　クライアントシステムのディスプレイ上にパーソナライズ情報を表すために必要な情報を集約することについて、クライアントシステムのディスプレイ上にパーソナライズ情報を表すために必要な情報が、本願補正発明は、パーソナライズ情報であるのに対し、引用発明は、パーソナライズ情報を表示するための関連情報（ＵＲＬ）である点
で相違する。
　
（３．５）本願補正発明の「前記パーソナライズ情報層における表示のために、前記クライアントシステムに前記パーソナライズ情報を送信する段階」について
　
（ア）引用発明においては、「視聴者装置の表示再生部に」出力するものであり、表示再生部に出力するということは、表示することであるから、引用発明の「視聴者装置の表示再生部に関連情報ホームページを出力」は、本願補正発明の「前記パーソナライズ情報層における表示」と、表示という点で一致し、本願補正発明は、パーソナライズ情報層における表示であるのに対し、引用発明は、表示するものではあるが、パーソナライズ情報層における表示ということについては、特定されていない点で相違する。
　
（イ）本願補正発明も引用発明も、クライアントシステムのディスプレイ上にパーソナライズ情報を表すために必要な情報を送信するものであるが、引用発明は、パーソナライズ情報を表示するための関連情報（ＵＲＬ）を送信するのに対し、本願補正発明は、パーソナライズ情報そのものを送信する点で相違する。
　
（ウ）そうすると、本願補正発明の「前記パーソナライズ情報層における表示のために、前記クライアントシステムに前記パーソナライズ情報を送信する段階」について、本願補正発明と引用発明は、
「表示のために、前記クライアントシステムにクライアントシステムのディスプレイ上にパーソナライズ情報を表すために必要な情報を送信する段階」という点で一致し、
　表示に際して、本願補正発明は、パーソナライズ情報層における表示であるのに対し、引用発明は、パーソナライズ情報層における表示ということについては、特定されていない点、
　クライアントシステムのディスプレイ上にパーソナライズ情報を表すために必要な情報を送信することについて、クライアントシステムのディスプレイ上にパーソナライズ情報を表すために必要な情報が、本願補正発明は、パーソナライズ情報であるのに対し、引用発明は、パーソナライズ情報を表示するための関連情報（ＵＲＬ）である点
で相違する。
　
（３．６）本願補正発明の「前記記述子は前記クライアントシステムによって前記メディアコンテンツから生成され、前記方法は１つ又は複数のプロセッサによって実行され」について
　
　引用発明の部分放送情報は視聴者装置によって放送情報を変換して得られるものであり、引用発明の「部分放送情報」、「視聴者装置」が、本願補正発明の「記述子」、「クライアントシステム」に一致し、放送情報を変換して得られるということは、放送情報がメディアコンテンツであることを考えると、メディアコンテンツから生成されることとなるので、引用発明の「部分放送情報は視聴者装置によって放送情報を変換して得られ」は、本願補正発明の「前記記述子は前記クライアントシステムによって前記メディアコンテンツから生成され」に一致する。
　しかし、引用発明では、方法は１つ又は複数のプロセッサによって実行されることについては、特定されていない。
　そうすると、本願補正発明の「前記記述子は前記クライアントシステムによって前記メディアコンテンツから生成され、前記方法は１つ又は複数のプロセッサによって実行され」について、本願補正発明と引用発明は、
「前記記述子は前記クライアントシステムによって前記メディアコンテンツから生成され」るという点で一致し、
　本願補正発明では、方法は１つ又は複数のプロセッサによって実行されているのに対し、引用発明は、方法は１つ又は複数のプロセッサによって実行されていることについては、特定されていない点で相違する。
　
（３．７）本願補正発明の
「前記パーソナライズ情報を集約する段階は、
　前記受信された記述子を使用して基準記述子のデータベースをクエリする段階と、
　適合基準をベースとして前記受信された記述子に適合する１つ又は複数の基準記述子を決定する段階と、
　を具備し、」について
　
（ア）本願補正発明も引用発明も、クライアントシステムのディスプレイ上にパーソナライズ情報を表すために必要な情報を集約するものであるが、引用発明は、パーソナライズ情報を表示するための関連情報（ＵＲＬ）を集約するのに対し、本願補正発明は、パーソナライズ情報そのものを集約する点で相違する。
　
（イ）引用発明の「部分放送情報」は、放送情報を変換して得られた特徴量情報であるから、放送情報すなわちメディアコンテンツを特定するものであり、本願補正発明の「受信された記述子」に一致する。
　本願補正発明の「基準記述子」とは、受信された記述子に適合するものを決定するために用いられるものであり、メディアコンテンツから生成された情報である。
　そして、引用発明は、視聴者装置より受信した部分放送情報と対応する放送情報の特徴量抽出処理を施すことにより得られる情報を放送情報データベース中より検索するものであり、ある情報と対応する情報をデータベース中より検索するということは、データベースに問い合わせ、適合する情報がどれであるかを決定するということであるから、引用発明における「放送情報の特徴量抽出処理を施すことにより得られる情報」は、本願補正発明の「基準記述子」と一致し、引用発明の「放送情報データベース中より検索する」ことは、本願補正発明の「データベースをクエリ」、「前記受信された記述子に適合する１つ又は複数の基準識別子を決定する段階」という点で一致する。
　
（ウ）しかし、本願補正発明が、適合基準をベースとして決定するのに対し、引用発明は、適合基準をベースとして決定することについては、特定されていない点で相違する。
　
（エ）そうすると、本願補正発明の「前記パーソナライズ情報を集約する段階は、前記受信された記述子を使用して基準記述子のデータベースをクエリする段階と、適合基準をベースとして前記受信された記述子に適合する１つ又は複数の基準記述子を決定する段階と、を具備し」について、本願補正発明と引用発明は、
「クライアントシステムのディスプレイ上にパーソナライズ情報を表すために必要な情報を集約する段階は、前記受信された記述子を使用して基準識別子のデータベースをクエリする段階と、前記受信された記述子に適合する１つ又は複数の基準識別子を決定する段階と、を具備」する点で一致し、
　クライアントシステムのディスプレイ上にパーソナライズ情報を表すために必要な情報を集約することについて、クライアントシステムのディスプレイ上にパーソナライズ情報を表すために必要な情報が、本願補正発明は、パーソナライズ情報であるのに対し、引用発明は、パーソナライズ情報を表示するための関連情報（ＵＲＬ）である点、
　本願補正発明が、適合基準をベースとして決定するのに対し、引用発明は、適合基準をベースとして決定することについては、特定されていない点
で相違する。
　
（３．８）本願補正発明の
「前記基準記述子は、メディアコンテンツの統計的な要約であり、最近のマスメディア放送から継続的に更新される」について、
　引用発明は、基準記述子が、メディアコンテンツの統計的な要約であり、最近のマスメディア放送から継続的に更新されることについては、特定されていない点で相違する。
　
（３．９）相違点の整理
　以上のとおり、構成ごとに対比され、本願補正発明と引用発明とは、
　
「コンピュータ実行方法であって、
　クライアントシステムから、前記クライアントシステムのディスプレイ上にパーソナライズ情報を表すための、メディアコンテンツに関するユーザ入力を受信する段階と、
　前記クライアントシステムから、前記メディアコンテンツを特定する記述子を受信する段階と、
　前記記述子及び前記ユーザ入力をベースとしてクライアントシステムのディスプレイ上にパーソナライズ情報を表すために必要な情報を集約する段階と、
　表示のために、前記クライアントシステムにクライアントシステムのディスプレイ上にパーソナライズ情報を表すために必要な情報を送信する段階と、
　を具備し、
　前記記述子は前記クライアントシステムによって前記メディアコンテンツから生成され、
　クライアントシステムのディスプレイ上にパーソナライズ情報を表すために必要な情報を集約する段階は、
　前記受信された記述子を使用して基準識別子のデータベースをクエリする段階と、
　前記受信された記述子に適合する１つ又は複数の基準識別子を決定する段階と、
　を具備することを特徴とする方法。」
　
という点で一致し、構成ごとの相違をまとめると、次のとおりである。
　
（ア）ユーザ入力に関して、本願補正発明は、パーソナライズ情報層のユーザ選択であるのに対し、引用発明では、入力部より入力する点で相違する。
（イ）クライアントシステムのディスプレイ上にパーソナライズ情報を表すために必要な情報を集約することについて、クライアントシステムのディスプレイ上にパーソナライズ情報を表すために必要な情報が、本願補正発明は、パーソナライズ情報であるのに対し、引用発明は、パーソナライズ情報を表示するための関連情報（ＵＲＬ）である点で相違する。
（ウ）表示に際して、本願補正発明は、パーソナライズ情報層における表示であるのに対し、引用発明は、パーソナライズ情報層における表示ということについては特定されていない点で相違する。
（エ）クライアントシステムのディスプレイ上にパーソナライズ情報を表すために必要な情報を送信することについて、クライアントシステムのディスプレイ上にパーソナライズ情報を表すために必要な情報が、本願補正発明は、パーソナライズ情報であるのに対し、引用発明は、パーソナライズ情報を表示するための関連情報（ＵＲＬ）である点で相違する。
（オ）本願補正発明では、方法は１つ又は複数のプロセッサによって実行されているのに対し、引用発明は、方法は１つ又は複数のプロセッサによって実行されていることについては、特定されていない点で相違する。
（カ）前記受信された記述子に適合する１つ又は複数の基準識別子を決定することについて、本願補正発明が、適合基準をベースとして決定するのに対し、引用発明は、適合基準をベースとして決定することについては、特定されていない点で相違する。
（キ）本願補正発明は、基準記述子が、メディアコンテンツの統計的な要約であり、最近のマスメディア放送から継続的に更新されるものであるが、引用発明は、基準記述子が、メディアコンテンツの統計的な要約であり、最近のマスメディア放送から継続的に更新されることについては、特定されていない点で相違する。
　
　ここで、構成における相違とした（ア）と（ウ）は、次のとおり整理できる。
　
　ユーザ入力は、パーソナライズ情報を表すために行うものであり、表示についても、パーソナライズ情報を表示することである。
　そうすると、パーソナライズ情報を表すためのユーザ入力およびパーソナライズ情報の表示に関して、本願補正発明は、パーソナライズ情報層でユーザ選択し、かつ、表示するのに対し、引用発明では、入力については、入力部より入力を行い、表示については、パーソナライズ情報層における表示ということについて特定されていない点で相違する。
　
　また、構成における相違とした（イ）と（エ）は、次のとおり整理できる。
　
　クライアントシステムのディスプレイ上にパーソナライズ情報を表すために必要な情報を集約して送信することについて、クライアントシステムのディスプレイ上にパーソナライズ情報を表すために必要な情報が、本願補正発明は、パーソナライズ情報であるのに対し、引用発明は、パーソナライズ情報を表示するための関連情報（ＵＲＬ）である点で相違する。
　
（４）一致点、相違点
　前記「第２．２．（３）引用発明との対比」で述べたことをまとめると、本願補正発明と引用発明は、
　
［一致点］
「コンピュータ実行方法であって、
　クライアントシステムから、前記クライアントシステムのディスプレイ上にパーソナライズ情報を表すための、メディアコンテンツに関するユーザ入力を受信する段階と、
　前記クライアントシステムから、前記メディアコンテンツを特定する記述子を受信する段階と、
　前記記述子及び前記ユーザ入力をベースとしてクライアントシステムのディスプレイ上にパーソナライズ情報を表すために必要な情報を集約する段階と、
　表示のために、クライアントシステムにクライアントシステムのディスプレイ上にパーソナライズ情報を表すために必要な情報を送信する段階と、
　を具備し、
　前記記述子は前記クライアントシステムによって前記メディアコンテンツから生成され、
　クライアントシステムのディスプレイ上にパーソナライズ情報を表すために必要な情報を集約する段階は、
　前記受信された記述子を使用して基準識別子のデータベースをクエリする段階と、
　前記受信された記述子に適合する１つ又は複数の基準識別子を決定する段階と、
　を具備することを特徴とする方法。」
という点で一致し、
　
［相違点］
（ａ）パーソナライズ情報を表すためのユーザ入力およびパーソナライズ情報の表示に関して、本願補正発明は、パーソナライズ情報層でユーザ選択し、かつ、表示するのに対し、引用発明では、入力については、入力部より入力を行い、表示については、パーソナライズ情報層における表示ということについては特定されていない点で相違する。
（ｂ）クライアントシステムのディスプレイ上にパーソナライズ情報を表すために必要な情報を集約して送信することについて、クライアントシステムのディスプレイ上にパーソナライズ情報を表すために必要な情報が、本願補正発明は、パーソナライズ情報であるのに対し、引用発明は、パーソナライズ情報を表示するための関連情報（ＵＲＬ）である点で相違する。
（ｃ）本願補正発明では、方法は１つ又は複数のプロセッサによって実行されているのに対し、引用発明は、方法は１つ又は複数のプロセッサによって実行されていることについては、特定されていない点で相違する。
（ｄ）前記受信された記述子に適合する１つ又は複数の基準識別子を決定することについて、本願補正発明が、適合基準をベースとして決定するのに対し、引用発明は、適合基準をベースとして決定することについては、特定されていない点で相違する。
（ｅ）本願補正発明は、基準記述子が、メディアコンテンツの統計的な要約であり、最近のマスメディア放送から継続的に更新されるものであるが、引用発明は、基準記述子が、メディアコンテンツの統計的な要約であり、最近のマスメディア放送から継続的に更新されることについては、特定されていない点で相違する。
　
（５）判断
　
　相違点（ａ）について
　本願明細書における、
「パーソナライズ情報層は、前記マスメディアチャネルの補完的な情報を提供する。パーソナライズ情報層の実施例は、ファッション、政治、ビジネス、健康、旅行、等を具備するが、それに限定されない。例えば、有名人に関するニュースセグメントを視聴する一方で、テレビジョンスクリーン又はコンピュータ表示装置上で、ファッション層が前記視聴者に表示されており、前記ニュースセグメント内で有名人が着用している衣類及びアクセサリに関連する情報及び／又は画像を提供する。それに加えて、パーソナライズ層は、有名人が着用している衣類を販売する衣類ストアへのリンクのような、ニュースセグメントに関連する製品又はサービスを促進する広告を具備しても良い。」（本願明細書段落【００２３】）、
「ユーザインターフェース
　図５は、マスパーソナライズアプリケーションと相互作用するためのユーザインターフェース２０８の一実施形態のフローチャートである。前記ユーザインターフェース２０８は、パーソナライズ層表示エリア５０２、スポンサーリンク表示エリア５０６、コメントメディア表示エリア５０４、及びコンテンツ表示エリア５０８を具備する。パーソナライズ層表示エリア５０２は、コンテンツ表示エリア５０８内に示されたビデオコンテンツに関連する補完的な情報及び／又は画像を提供する。パーソナライズ層は、ナビゲートバー５１０及び入力装置（例えば、マウス又は遠隔制御）を使用してナビゲートされても良い。各層は、ナビゲートバー５１０内に関連付けられたラベルを具備しても良い。例えば、もし前記ユーザが「ファッション」ラベルを選択したら、次いで「Ｓｅｉｎｆｅｌｄ」に関連付けられたコンテンツに関連するファッションを具備するファッション層が、表示エリア５０２内に表示される。」（本願明細書段落【００７４】）
との記載、図５の記載から、パーソナライズ情報層のユーザ選択およびパーソナライズ情報層における表示とは、コンテンツ表示エリアとは異なる表示エリアを設け、その表示エリアでユーザ選択を行い、パーソナライズ情報を表示することを指すものである。
　しかし、表示する内容に応じて異なる表示エリアとすること、入力に際して、表示エリアにて例えばクリックを行うことのようなユーザによる選択を行うことは、いずれも、ウインドウを用いたコンピュータシステムにおいて周知のことであり、引用発明の入力部による入力、および表示に際して、パーソナライズ情報層のユーザ選択、パーソナライズ情報層における表示とすることは、容易に考え得ることである。
　
　相違点（ｂ）について
　引用発明は、関連情報（ＵＲＬ）を集約し、集約した関連情報（ＵＲＬ）をクライアントシステムに送信するものであり、引用例１をみるに、クライアントシステムでは、関連情報（ＵＲＬ）を取得後、そのＵＲＬをコンテンツ情報閲覧部に送り、該ＵＲＬの関連情報ホームページすなわちパーソナライズ情報を取得し、表示再生部にて表示するものである。
　すなわち、クライアントシステムのディスプレイ上にパーソナライズ情報を表すために、本願補正発明は、パーソナライズ情報そのものを送信するのに対し、引用発明は、パーソナライズ情報のＵＲＬを送信するものであるが、情報表示に際して、表示する情報そのものを送ってもらうことは、当然に良く行われていることであり、引用発明において、パーソナライズ情報を表示するための関連情報（ＵＲＬ）を集約し、集約したパーソナライズ情報を表示するための関連情報（ＵＲＬ）をクライアントシステムに送信することに代えて、パーソナライズ情報を集約して、クライアントシステムにパーソナライズ情報を送信するようにしたことは、容易に考え得ることである。
　
　相違点（ｃ）について
　コンピュータ実行方法において、プロセッサにより実行することは、周知のことに過ぎないし、複数のプロセッサにて実行することも、マルチプロセッサシステムのように、出願時には周知のことである。
　したがって、引用発明の方法についても、コンピュータを用いる方法であるから、１つ又は複数のプロセッサによって実行されるようにしたことは、容易に考え得ることである。
　
　相違点（ｄ）について
　適合基準をベースとして決定することについて、本願明細書には、「いくつかの実施では、前記記述子は、前記マスメディア放送の以前に記録された音声断片の統計的な要約を特定する基準記述子のデータベースに適合される、音声データベースサーバに対する（また、クエリ記述子として参照される）クエリ断片として送信されても良い（４０６）。最良適合を具備する候補記述子の一覧が決定されても良い（４０８）。前記候補記述子は、時間的に前記クエリ記述子と一致する候補記述子が、より少なく時間的に前記クエリ記述子と一致する候補記述子よりも、より高く得点されるように、得点されても良い（４１０）。最も高い得点を伴う前記候補記述子（例えば、得点が充分に高い閾値を超過する）は、前記メディア放送に関連するパーソナライズ情報を集約するのにそれらが使用されても良い、ソーシャルアプリケーションサーバ（４１２）に送信される、もしくは提供される。閾を使用することによって、前記記述子が送信される、又はそれ以外に前記ソーシャルアプリケーションサーバに提供される前に、記述子が充分に適合することを確実にする（４１２）。」（段落【００５８】）と記載されている。そうすると、適合基準をベースとして決定するとは、受信された記述子に適合する基準記述子を決定する際に、閾を使用することによって、受信された記述子に適合する基準記述子を決定するものである。
　あるものとデータベース中のものとを比較し、適合するか否かを決定する場合に、閾を使用することによって、適合するか否かを決定することは、検索手法として通常に行われていることである。
　そして、引用発明においては、視聴者装置で受信された放送情報を変換して得られた特徴量情報と、放送情報データベース内の放送情報の特徴量抽出処理を施すことにより得られる情報のマッチング検索を行うものであり、放送情報が音声情報である以上、周囲の雑音や受信側での音声処理等により、同じ放送情報であっても、視聴者装置側の放送情報の特徴量と放送情報データベース内の放送情報の特徴量が完全に一致しない場合も起こり得ることを考えると、引用発明においてマッチング検索する際に、検索手法として通常に行われていることである、閾を使用することによって、適合するか否かを決定することを採用することも容易に考え得ることであるから、引用発明における「前記受信された記述子に適合する１つ又は複数の基準識別子を決定する」ことについて、適合基準をベースとして決定するようにしたことも容易に考え得るものである。
　
　相違点（ｅ）について
　引用例１の段落【０２８６】では、「放送情報マッチング部４０２３が、視聴者装置４００１より受信した部分放送情報と対応する放送情報を放送情報データベース４０２１中より検索することにより該部分放送情報に対応する放送情報の放送情報識別情報を特定する際には、Ｋ・Ｋａｓｈｉｎｏ、Ｇ．Ｓｍｉｔｈ  ａｎｄ  Ｈ．Ｍｕｒａｓｅ：“Ｔｉｍｅ−Ｓｅｒｉｅｓ  ａｃｔｉｖｅ  ｓｅａｒｃｈ  ｆｏｒ  ｑｕｉｃｋ  ｒｅｔｒｉｅｖａｌ  ｏｆ  ａｕｄｉｏ  ａｎｄ  ｖｉｄｅｏ”、Ｐｒｏｃ．ｏｆＩＣＡＳＳＰ−９９、Ｖｏｌ．６、PP．２９９３−２９９６、Ｍａｒ．１９９９、もしくは、柏野邦夫、村瀬洋、“音や映像を瞬時に探す時系列アクティブ探索法”、ＮＴＴＲ＆Ｄ、Ｖｏｌ．４９、Ｎｏ．７、２０００、ＰＰ．４０７−４１３に記載の手法を使用するものとしている。前記の手法は、放送等の長時間の音声もしくは放送中から、特定の番組タイトルやＣＭ等、目的とする音や映像の有無及び対応位置を高速に検出する手法で、音声を検索する場合、検索対象となる音声全体、及び検索する音声の特徴ベクトルのヒストグラムに基づいて検索を行うものである。」と記載されている。
　そして、特徴ベクトルのヒストグラムに基づいて検索を行うことについて、引用例１に参考文献として挙げられた「柏野邦夫、村瀬洋、“音や映像を瞬時に探す時系列アクティブ探索法”、ＮＴＴＲ＆Ｄ、Ｖｏｌ．４９、Ｎｏ．７、２０００、ＰＰ．４０７−４１３」（以下、引用例２とする。）には、「参照信号と入力信号の双方に対して同じ長さの時間窓をかけ、窓内の特徴ベクトルをベクトル量子化して、各量子化符号の出現回数を計数してヒストグラムをつくる。そして、ヒストグラムどうしの類似度が、あらかじめ設定した値（これを探索しきい値と呼ぶ）を超えるかどうかで、参照信号の有無を判定する。」（引用例２の４０８頁左欄１８行〜２１行）と開示されている。そうすると、特徴ベクトルをベクトル量子化して、各量子化符号の出現回数を計数してヒストグラムをつくるということは、データ全体で比較するのではなく、データを統計的にまとめたものを比較することになるので、引用例２の手法は、メディアコンテンツの統計的な要約を利用して、検索を行っているものである。
　また、本願の段落【００３０】にて提示されている「YAN KE ET AL:Computer Vision for Music Identification COMPUTER VISION AND PATTERN RECOGNITION,2005. CVPR 2005. IEEE COMPUTER SOCIETY CONFERENCE ON SAN DIEGO, CA, USA 20-26 JUNE 2005, PISCATAWAY, NJ, USA, IEEE, vol.1, 20 June 2005 (2005-6-20), p.597-604」（以下、引用例３とする。）でも、Music Identificationすなわち音声が同一であることを調べるために、本願段落【００４４】に記載されているように、統計的な要約を用いているものである。
　そうすると、受信された記述子を使用して基準識別子のデータベースをクエリし、受信された記述子に適合する１つ又は複数の基準識別子を決定する場合の基準識別子として、引用例２のようなメディアコンテンツの統計的な要約、引用例３の統計的な要約を用いることは、容易に考え得ることである。
　さらに、本願補正発明においては、基準記述子が最近のマスメディア放送から継続的に更新されるものであるが、現在視聴している放送が何であるかを比較決定するものである以上、その比較対象が最近のマスメディア放送であることは当然であるし、サーバの容量が有限である以上、いままでのマスメディア放送をすべて蓄積しておくことは不可能であるから、比較対象物を継続的に更新するように設計することは、当然に考えることである。
　したがって、引用発明の基準識別子を、本願補正発明のように、メディアコンテンツの統計的な要約であり、最近のマスメディア放送から継続的に更新される基準記述子とすることも、引用発明及び引用例２，３より容易に考え得るものである。
　
　また、本願補正発明の効果は、引用発明から当業者が容易に予測し得るものであり、格別顕著なものがあるとは認められない。
　
　以上のとおり、本願補正発明は、引用発明及び引用例２，３に基づいて、当業者が容易に発明をすることができたものであり、特許法第２９条第２項の規定により特許出願の際独立して特許を受けることができないものである。
　
　よって、本件補正は、平成１８年法律第５５号改正附則第３条第１項によりなお従前の例によるとされる同法による改正前の特許法第１７条の２第５項において準用する同法第１２６条第５項の規定に違反するので、同法第１５９条第１項の規定において読み替えて準用する同法第５３条第１項の規定により却下すべきものである。
　
　よって、補正の却下の決定の結論のとおり、決定する。
　
第３．本願発明について
　
１．本願発明
　上記のとおり、平成２４年１０月５日付けの手続補正を却下した。
　
　したがって、本件出願の請求項１ないし４２に係る発明は、平成２１年１１月２７日付け、平成２１年１２月９日付け、平成２４年５月１０日付け手続補正書で補正された明細書、特許請求の範囲および図面の記載からみて、平成２４年５月１０日付け手続補正書で補正された特許請求の範囲の請求項１ないし４２に記載されたとおりのものであり、そのうち、請求項１に係る発明（以下、これを「本願発明」という。）は、次のとおりである。
　
［本願発明］（請求項１に係る発明）
「コンピュータ実行方法であって、
　クライアントシステムから、前記クライアントシステムのディスプレイ上にパーソナライズ情報を表すための、メディアコンテンツに関するパーソナライズ情報層のユーザ選択を受信する段階と、
　前記クライアントシステムから、前記メディアコンテンツを特定する記述子を受信する段階と、
　前記記述子及び前記パーソナライズ情報層の前記ユーザ選択をベースとしてパーソナライズ情報を集約する段階と、
　前記パーソナライズ情報層における表示のために、前記クライアントシステムに前記パーソナライズ情報を送信する段階と、
　を具備し、
　前記記述子は前記クライアントシステムによって前記メディアコンテンツから生成され、前記方法は１つ又は複数のプロセッサによって実行され、
　前記パーソナライズ情報を集約する段階は、
　前記受信された記述子を使用して基準記述子のデータベースをクエリする段階と、
　適合基準をベースとして前記受信された記述子に適合する１つ又は複数の基準記述子を決定する段階と、
　を具備し、
　前記基準記述子は、最近のメディア放送から継続的に更新されることを特徴とする方法。」
　
２．刊行物の記載事項
　原査定の拒絶の理由で引用された刊行物、その記載事項、および引用発明は、前記第２．２．（２）に記載したとおりである。
　
３．対比
　本願補正発明は、本願発明に、前記第２．１．の補正事項の補正をしたものである。
　したがって、本願発明は、本願補正発明から上記補正事項の補正を戻す関係にあり、その内容は、限定事項を戻す関係にある。
　そして、本願発明と引用発明との対比は、前記第２．２．（３）と、前記削除される構成を除いて同様に対比される。
　
４．一致点・相違点
　そうすると、本願発明と引用発明との一致点、相違点は次のとおりである。
　
［一致点］
「コンピュータ実行方法であって、
　クライアントシステムから、前記クライアントシステムのディスプレイ上にパーソナライズ情報を表すための、メディアコンテンツに関するユーザ入力を受信する段階と、
　前記クライアントシステムから、前記メディアコンテンツを特定する記述子を受信する段階と、
　前記記述子及び前記ユーザ入力をベースとしてクライアントシステムのディスプレイ上にパーソナライズ情報を表すために必要な情報を集約する段階と、
　表示のために、クライアントシステムにクライアントシステムのディスプレイ上にパーソナライズ情報を表すために必要な情報を送信する段階と、
　を具備し、
　前記記述子は前記クライアントシステムによって前記メディアコンテンツから生成され、
　クライアントシステムのディスプレイ上にパーソナライズ情報を表すために必要な情報を集約する段階は、
　前記受信された記述子を使用して基準識別子のデータベースをクエリする段階と、
　前記受信された記述子に適合する１つ又は複数の基準識別子を決定する段階と、
　を具備することを特徴とする方法。」
という点で一致し、
　
［相違点］
（ａ）パーソナライズ情報を表すためのユーザ入力およびパーソナライズ情報の表示に関して、本願発明は、パーソナライズ情報層でユーザ選択し、かつ、表示するのに対し、引用発明では、入力については、入力部より入力を行い、表示については、パーソナライズ情報層における表示ということについては特定されていない点で相違する。
（ｂ）クライアントシステムのディスプレイ上にパーソナライズ情報を表すために必要な情報を集約して送信することについて、クライアントシステムのディスプレイ上にパーソナライズ情報を表すために必要な情報が、本願発明は、パーソナライズ情報であるのに対し、引用発明は、パーソナライズ情報を表示するための関連情報（ＵＲＬ）である点で相違する。
（ｃ）本願発明では、方法は１つ又は複数のプロセッサによって実行されているのに対し、引用発明は、方法は１つ又は複数のプロセッサによって実行されていることについては、特定されていない点で相違する。
（ｄ）前記受信された記述子に適合する１つ又は複数の基準識別子を決定することについて、本願発明が、適合基準をベースとして決定するのに対し、引用発明は、適合基準をベースとして決定することについては、特定されていない点で相違する。
（ｅ）本願発明は、基準記述子が、最近のメディア放送から継続的に更新されるものであるが、引用発明は、基準記述子が、最近のメディア放送から継続的に更新されることについては、特定されていない点で相違する。
　
５．判断
　相違点（ａ）〜（ｄ）について
　上記第２．２．（５）相違点（ａ）〜（ｄ）についてと同様である。
　
　相違点（ｅ）について
　本願発明においては、基準記述子が最近のメディア放送から継続的に更新されるものであるが、現在視聴している放送が何であるかを比較決定するものである以上、その比較対象が最近のメディア放送であることは当然であるし、サーバの容量が有限である以上、いままでのメディア放送をすべて蓄積しておくことは不可能であるから、比較対象物を継続的に更新するように設計することは、当然に考えることである。
　したがって、引用発明の基準識別子を、本願発明のように、最近のメディア放送から継続的に更新される基準記述子とすることも、引用発明より容易に考え得るものである。
　
　したがって、本願発明は、引用例１に記載された発明に基づいて当業者が容易に発明をすることができたものである。
　
第４　まとめ
　以上のように、本願の請求項１に係る発明は、引用例１に記載された発明に基づいて当業者が容易に発明をすることができたものであるから、特許法第２９条第２項の規定により特許を受けることができない。
　したがって、残る請求項２〜４２に係る発明について検討するまでもなく、本件出願は拒絶をすべきものである。
　よって、結論のとおり審決する。